(57)【要約】【課題】材質が異なるパネルを装着することによって、パネル厚さが異なった場合であっても、同一の器具本体および枠体を利用できる照明器具を提供する。【解決手段】器具本体２１と光源ユニット５０とパネル２５と枠体３０とを備え、光源ユニット５０及びパネル２５が器具本体２１と枠体３０との対向面間に介在保持されて結合固定される照明器具である。そして、器具本体２１と枠体３０とを相互に周方向で回動変位させることで結合固定される固定位置を周方向で変更可能とし、各対向面に相互に嵌合される凸部６０と凹部７０とを形成し、凸部６０と凹部７０とが嵌合された状態は、嵌合されない状態よりも対向面間の距離が小さくなるようになっている。【選択図】図１
2015032567.tif 000002
【特許請求の範囲】
【請求項１】
放熱性を有する器具本体と、
前記器具本体に設けられる光源ユニットと、
前記光源ユニットの照射前方に設けられて前記光源ユニットから出射された光を透過させるパネルと、
前記器具本体の照射前方に設けられて内側に反射面を有する略円環状の枠体と、を備え、前記光源ユニット及び前記パネルが前記器具本体と前記枠体との対向面間に介在保持されて前記器具本体と前記枠体とが結合固定される照明器具であり、
前記器具本体と前記枠体とを相互に周方向で回動変位させることで前記器具本体と前記枠体とが結合固定される固定位置を周方向で変更可能なものとし、
前記器具本体及び前記枠体の各対向面に相互に嵌合される凸部と凹部とを形成し、
前記凸部と凹部とが嵌合された状態となる前記固定位置のある固定位置においては、前記凸部と凹部とが嵌合されない状態となる前記固定位置の別の固定位置においてよりも、前記対向面間の距離が小さくなるものであることを特徴とする照明器具。
【請求項２】
前記器具本体と前記枠体とを結合固定する固定手段として、前記ある固定位置における第一固定手段と、前記別の固定位置における第二固定手段とを備え、前記第一固定手段および第二固定手段のいずれか一方が選択されることで前記固定位置が変更されるものであることを特徴とする請求項１記載の照明器具。
【請求項３】
前記第一固定手段として、前記器具本体及び前記枠体のいずれか一方に形成されてネジが挿通される貫通孔と、他方に形成されて前記ネジがねじ込まれる第一ネジ受け穴と、を有し、前記第二固定手段として、前記貫通孔と、前記他方に形成されて前記ネジがねじ込まれる第二ネジ受け穴と、を有することを特徴とする請求項２記載の照明器具。
【発明の詳細な説明】
【技術分野】
【０００１】
本発明は、照明器具に関するものである。
【背景技術】
【０００２】
従来より、ＬＥＤ光源の前面に配置されたレンズを交換することが可能な照明器具は知られている（例えば、特許文献１参照）。
【０００３】
特許文献１の図１に示す照明器具は、枠体が天井面等の取付孔に埋設されてダウンライトに適用される照明器具である。
【０００４】
この照明器具には、光源としてＬＥＤ光源が設けられており、ＬＥＤ光源からの出射光はレンズに入光するように設計されている。
【先行技術文献】
【特許文献】
【０００５】
【特許文献１】特開２０１２−９９２５６号公報
【発明の概要】
【発明が解決しようとする課題】
【０００６】
しかしながら、前述した照明器具は、固有のレンズのレンズ厚さを考慮して灯具本体の設計がなされている。
【０００７】
このため、レンズの種類を変更した際にレンズ厚さが異なるレンズを用いることができないという問題があった。
【０００８】
また、この問題を解決するために、従来より器具本体または枠体どちらかの部品を数種類用意するか、別部品を追加し器具本体と枠体との位置関係を調節していたが、このような場合、コストアップを招くという問題があった。
【０００９】
本発明は、従来の問題を解決するためになされたもので、コストアップを招くことなく、器具本体と枠体との位置関係を調整することができる照明器具を提供することを目的とする。
【課題を解決するための手段】
【００１０】
本発明の照明器具は、器具本体と光源ユニットとパネルと枠体とを備え、光源ユニット及びパネルが器具本体と枠体との対向面間に介在保持されて結合固定される照明器具であり、器具本体と枠体とを相互に周方向で回動変位させることで結合固定される固定位置を周方向で変更可能とし、各対向面に相互に嵌合される凸部と凹部とを形成し、凸部と凹部とが嵌合された状態は、嵌合されない状態よりも対向面間の距離が小さくなるものである。
【００１１】
また、本発明の照明器具は、前記器具本体と前記枠体とを結合固定する固定手段として、前記ある固定位置における第一固定手段と、前記別の固定位置における第二固定手段とを備え、前記第一固定手段及び第二固定手段のいずれか一方が選択されることで前記固定位置が変更されるものであってもよい。
【００１２】
また、本発明の照明器具は、前記第一固定手段として、前記器具本体及び前記枠体のい
ずれか一方に形成されてネジが挿通される貫通孔と、他方に形成されて前記ネジがねじ込まれる第一ネジ受け穴と、を有し、前記第二固定手段として、前記貫通孔と、前記他方に形成されて前記ネジがねじ込まれる第二ネジ受け穴と、を有するものであってもよい。
【発明の効果】
【００１３】
本発明は、コストアップを招くことなく、器具本体と枠体との位置関係を調整することができる照明器具を提供する。
【図面の簡単な説明】
【００１４】
【図１】本発明の実施形態に係る照明器具の斜視図
【図２】本発明の実施形態に係る照明器具の分解図の斜視図
【図３】本発明の実施形態に係る器具本体および枠体の斜視図
【図４】本発明の実施形態に係る凹部と凸部とを嵌合させた際の照明器具の斜視図
【図５】本発明の実施形態に係る凹部と凸部とを嵌合させなかった際の照明器具の斜視図
【図６】本発明の実施形態に係る凹部と凸部とを嵌合させた際の照明器具の断面図
【図７】本発明の実施形態に係る凹部と凸部とを嵌合させなかった際の照明器具の断面図
【発明を実施するための形態】
【００１５】
以下、本発明の実施形態について図１〜７を用いて説明する。
【００１６】
図１には、本発明に係る実施形態における照明器具１０の斜視図を示し、図２には、照明器具１０の分解図の斜視図を示す。照明器具１０は、灯具２０、枠体３０およびバネ４０とを有する天井に取付けられるダウンライトである。
【００１７】
灯具２０は、器具本体２１、光源ユニット５０、パネル２５を有する。以下、各部材について説明を行う。
【００１８】
器具本体２１は、放熱性を有しており、ＬＥＤ２２による発熱を放熱する役割を果たしている。半導体発光素子、すなわちＬＥＤ２２の基本的な性能として、熱を帯びると性能が低下するという特性がある。そこで、ＬＥＤ２２の裏面には、放熱構造が備えられている。また、ＬＥＤ２２と器具本体２１の間には、何らかの熱伝導部材が設けられていてもよい。
【００１９】
光源ユニット５０は、ＬＥＤ２２、押付片２４、反射板２３から構成されている。ＬＥＤ２２に関しては、ＣＯＢタイプの光源もしくはＳＭＤタイプの光源いずれであってもよい。その他、当業者が通常用いることができるＬＥＤであればいずれのものであっても採用することは可能である。
【００２０】
また、反射板２３は、照明器具１０が拡散タイプの照明器具もしくは、集光タイプの照明器具のいずれとするかにより選択する必要がある。また、反射板２３の内面を鏡面仕上げとするか、ツヤ消し仕上とするかによっても照明器具１０の発光タイプを変更することが可能となってくる。
【００２１】
パネル２５は、透光性を有し、光源ユニット５０のＬＥＤ２２の照射前方に設けられている。このパネル２５は、樹脂製もしくはガラス製のいずれかを選択することが可能である。パネル２５が樹脂製であるかガラス製であるか違いにより、パネル２５の厚さがことなる。
【００２２】
すなわち、パネル２５の厚さが素材によって一定でないことから、いずれの素材のパネル２５を選択するかによって、枠体３０と器具本体２１との間隔を異ならせる必要がある
。本実施形態で示す照明器具１０は、この枠体３０と器具本体２１との間隔を調整することが可能となっており、パネル２５の素材を変更する度に、照明器具１０の設計を変更する必要がないものである。詳細に関しては後述する。
【００２３】
続いて、枠体３０について説明をする。枠体３０は器具本体２１の照射前方に設けられており、枠体３０の内側は反射面を有する略円環状である。この反射面は、鏡面仕上げであってもよいし、ツヤ消し仕上げを行っていてもよい。
【００２４】
また、枠体３０の深さも一定に定められているものではなく、あらゆる深さのものであっても用いることが可能である。
【００２５】
また、バネ４０は、枠体３０の外周側面に設けられており、照明器具１０を天井に設置する際に用いられる。バネ４０の形状に関しては、ここに示す形状に限られるものではなく、当業者によって通常考え得る形状を用いることは可能である。
【００２６】
以上までに述べたものが照明器具１０に用いられている大まかな構成部品であって、光源ユニット５０とパネル２５が器具本体２１と枠体３０との間に対向面間に介在保持されて器具本体２１と枠体３０とが結合固定されている。
【００２７】
以下、本実施形態に係る照明器具１０の特徴的部分について図３〜７を用いて説明を行う。
【００２８】
先にも述べた通り、パネル２５の素材を変更した際、器具本体２１と枠体３０との間隔を変更する必要がある。そこで、本実施形態に記載の照明器具１０は、新たな構成部品を用いる、もしくは設計変更を行わずとも器具本体２１と枠体３０との間隔を変更することが可能とするものである。
【００２９】
まず、器具本体２１と枠体３０とを相互に周方向で回動変位させることが可能であって、これらを回動変位させることで器具本体２１と枠体３０とが結合固定される固定位置を周方向で変更が可能となる。
【００３０】
図３に示す通り、器具本体２１における枠体３０との結合面には凸部６０が３箇所に設けられており、枠体３０における器具本体２１との結合面には凹部７０が３箇所に設けられている。本実施形態においては、凸部６０および凹部７０は接合面において等間隔に並べられている例を記載しているが、ここに記載の間隔に限定されるものではない。この間隔に関しては、凸部６０と凹部７０が互いに嵌合する位置関係であればよい。
【００３１】
また、器具本体２１における凸部６０が設けられている同一面には貫通孔８０が設けられている。この貫通孔８０は、器具本体２１と枠体３０とをねじ止めする際に、ねじを貫通させるための孔である。
【００３２】
なお、本実施形態では、器具本体２１に貫通孔８０を２箇所設けた例を示しているが、貫通孔８０の個数に関しては本実施例に限定されるものではない。
【００３３】
枠体３０には、凸部６０と凹部７０が嵌合した際に貫通孔８０と重なり合うねじ穴１（第一ネジ受け穴）９０と、凸部６０と凹部７０が嵌合しない際に貫通孔８０と重なり合うねじ穴２（第二ネジ受け穴）９１とが１組ずつ設けられている。
【００３４】
このように凸部６０と凹部７０が嵌合する際、嵌合しない際いずれの場合においても枠体３０と器具本体２１とを固定することが可能となる。すなわち、凸部６０と凹部７０を
嵌合させない場合は、器具本体２１に設けられた凸部６０の高さ分だけ器具本体２１と枠体３０との隙間を設けることが可能となる。
【００３５】
図４、図６には凸部６０と凹部７０が嵌合している場合、図５、図７には凸部６０と凹部７０が嵌合していない場合の照明器具１０の外観斜視図および断面図を示している。これらの図からも明らかなように図６に示すＡおよび図７に示すＢは、Ａ＜Ｂの関係となっている。
【００３６】
よって、パネル２５の種類を変更した際であっても、器具本体２１に対し１つの枠体３０で、器具本体２１と枠体３０との距離を変更することが可能となり、部品共有化による合理化を図ることができる。
【符号の説明】
【００３７】
１０  照明器具
２０  灯具
２１  器具本体
２２  ＬＥＤ
２３  反射板
２４  押付片
２５  パネル
３０  枠体
４０  バネ
５０  光源ユニット
６０  凸部
７０  凹部
８０  貫通孔
９０  ねじ穴１（第一ネジ受け穴）
９１  ねじ穴２（第二ネジ受け穴）
【図１】
2015032567.tif 000003
【図２】
2015032567.tif 000004
【図３】
2015032567.tif 000005
【図４】
2015032567.tif 000006
【図５】
2015032567.tif 000007
【図６】
2015032567.tif 000008
【図７】
2015032567.tif 000009